(57)【要約】【課題】障子を容易に開閉操作することができる建具を提供する。【解決手段】建具枠２にそれぞれスライド開閉自在に支持された第１の障子１０、第２の障子２０および第３の障子３０と、第１の障子１０の開閉に伴って第２の障子２０を連動させる連動装置と、第１の障子１０を開閉する開閉ハンドル６０とを備え、この開閉ハンドル６０を、第１の障子１０の召合框１４の室内側見付け位置に設ける。建具枠２の戸先側縦枠４Ａから離れた位置にいる者が開閉ハンドル６０を握りやすくなり、障子の開閉操作を容易に行うことができる。【選択図】図１
2014105481.tif 000002
【特許請求の範囲】
【請求項１】
戸先側縦枠、この戸先側縦枠に対向する戸尻側縦枠、上枠および下枠を有し開口部が形成された枠体と、この枠体にそれぞれスライド開閉自在に支持された第１の障子、第２の障子および第３の障子の少なくとも３枚の障子と、
前記第１の障子の開閉に伴って前記第２の障子を連動させる連動装置と、
前記第１の障子に設けられ前記第１の障子を開閉する開閉ハンドルと、を備え、
前記第１の障子は、戸先側縦框と、前記戸先側縦框と対向する召合框と、これらの戸先側框と召合框とに接続される上框および下框とを有し、
前記開閉ハンドルは、前記第１の障子の前記戸先側縦框より召合框側に設けられる建具。
【請求項２】
前記開閉ハンドルは、前記第１の障子の前記召合框に設けられる請求項１に記載の建具。
【請求項３】
前記第１の障子の召合框には施錠機構が設けられ、
この施錠機構は、上端部が前記上枠に形成された第一係合部に係合可能とされ第一ラックが形成された第一長尺部材と、下端部が前記下枠に形成された第二係合部に係合可能とされ第二ラックが形成された第二長尺部材と、これらの第一長尺部材と第二長尺部材との一方に設けられ上下動自在とされた摘み部と、前記第一ラックと前記第二ラックとにそれぞれ噛合されるピニオン部材と、を備えた請求項１または請求項２に記載の建具。
【請求項４】
前記開閉ハンドルは、前記第１の障子に取り付けられた基部と、この基部に回動自在に設けられたハンドル本体と、このハンドル本体の障子を開く方向への回動に伴って前記戸先側縦框に向けて前進し障子を閉じる方向への回動に伴って後退しかつ前進時に前記上枠に設けられた受部材に当接する当接部材と、を備えた請求項１ないし請求項３のいずれか１項に記載の建具。
【請求項５】
前記開閉ハンドルの長さは前記第１の障子の高さ寸法とほぼ同じである請求項４に記載の建具。
【請求項６】
前記第１の障子のスライドを補助するアシスト機構を備え、
このアシスト機構は、前記上枠にそれぞれ設けられた第一ラック部および第二ラック部と、前記第一ラック部に噛合する第一歯車部と、この第一歯車部の回転に伴って巻き上げられるばね部と、このばね部のばね力を前記第二ラック部に伝達する第二歯車部とを備えた請求項１ないし請求項５のいずれか１項に記載の建具。
【発明の詳細な説明】
【技術分野】
【０００１】
本発明は、建具に関し、詳しくは、少なくとも３枚以上の障子を有する建具に関する。
【背景技術】
【０００２】
出入口等に用いられる建具として、３枚以上の障子を有し、これらの障子のうち１枚の障子をスライドさせることで、この障子と見込み方向に隣接する障子を連動させて開口部を開閉する連動式引き戸が知られている。
この連動式引き戸として、枠体にガイドレールを設け、このガイドレールで内扉および外扉を移動自在に案内し、ガイドレールと外扉とに当接する連動ローラーを内扉に設けた従来例がある（特許文献１）。
この特許文献１の従来例では、外扉を移動させると、外扉に当接した連動ローラーが回転して内扉を同じ方向へ移動させる。外扉を開閉操作するために、外扉の戸先側に縦長な引手が設けられている。
【先行技術文献】
【特許文献】
【０００３】
【特許文献１】特許第４５４５８０８号公報
【発明の概要】
【発明が解決しようとする課題】
【０００４】
特許文献１の従来例では、引手が外扉の戸先側に設けられているため、外扉が閉じられている状態では、車いすを利用する者には開閉操作しにくいものとなっている。
つまり、車いす利用者は、外扉を開閉するために、引手に手がかかる位置まで車いすを移動することになるが、引き戸の縦枠の近傍には内壁が設けられていることがあるため、この内壁が車いすの進行の妨げとなって、開閉操作がしにくいものとなる。
また、車いすを利用していない者であっても、枠体の戸先側縦枠の近傍に荷物等が置かれると、引手に手が届きにくくなるため、外扉の開閉操作がしにくい。
【０００５】
本発明の目的は、障子を容易に開閉操作することができる建具を提供することにある。
【課題を解決するための手段】
【０００６】
本発明の建具は、戸先側縦枠、この戸先側縦枠に対向する戸尻側縦枠、上枠および下枠を有し開口部が形成された枠体と、この枠体にそれぞれスライド開閉自在に支持された第１の障子、第２の障子および第３の障子の少なくとも３枚の障子と、前記第１の障子の開閉に伴って前記第２の障子を連動させる連動装置と、前記第１の障子に設けられ前記第１の障子を開閉する開閉ハンドルと、を備え、前記第１の障子は、戸先側縦框と、前記戸先側縦框と対向する召合框と、これらの戸先側框と召合框とに接続される上框および下框とを有し、前記開閉ハンドルは、前記第１の障子の前記戸先側縦框より召合框側に設けられることを特徴とする。
【０００７】
このような本発明によれば、開閉ハンドルを握って第１の障子を開閉操作すると、連動装置が作動して第２の障子が連動し、建具の開口部が開閉される。
本発明では、第１の障子の戸先側縦框側より召合框側の位置に開閉ハンドルが設けられているので、戸先側縦枠から離れた位置にいる者が開閉ハンドルを握りやすくなり、障子の開閉操作を容易に行うことができる。
【０００８】
本発明の建具では、前記開閉ハンドルは、前記第１の障子の前記召合框に設けられる構成が好ましい。
【０００９】
このような構成によれば、開閉ハンドルが召合框に設けられていることから、開閉ハンドルを取り付けるための部分を召合框の長さ方向に沿って適宜設定することができるので、開閉ハンドルの取付構造を強固なものにできる。
【００１０】
本発明の建具では、前記第１の障子の召合框には施錠機構が設けられ、この施錠機構は、上端部が前記上枠に形成された第一係合部に係合可能とされ第一ラックが形成された第一長尺部材と、下端部が前記下枠に形成された第二係合部に係合可能とされ第二ラックが形成された第二長尺部材と、これらの第一長尺部材と第二長尺部材との一方に設けられ上下動自在とされた摘み部と、前記第一ラックと前記第二ラックとにそれぞれ噛合されるピニオン部材と、を備えた構成が好ましい。
【００１１】
このような構成によれば、第１の障子の召合框にある摘み部を上下操作することにより、第一長尺部材の第一ラックと第二長尺部材の第二ラックとがピニオン部材を介して移動する。つまり、第一長尺部材の上端部が第一係合部に向けて前進するとともに、第二長尺部材の下端部が第二係合部に向けて前進すると、第１の障子が施錠され、逆に、第一長尺部材が第一係合部から後退するとともに、第二長尺部材が第二係合部から後退すると、第１の障子が解錠される。そのため、摘み部が開閉ハンドルに近接した位置にあることから、第１の障子の施錠や解錠と第１の障子の開閉といった一連の作業をスムースに行うことができる。
【００１２】
本発明の建具では、前記開閉ハンドルは、前記第１の障子に取り付けられた基部と、この基部に回動自在に設けられたハンドル本体と、このハンドル本体の障子を開く方向への回動に伴って前記戸先側縦框に向けて前進し障子を閉じる方向への回動に伴って後退しかつ前進時に前記上枠に設けられた受部材に当接する当接部材と、を備えた構成が好ましい。
【００１３】
このような構成によれば、ハンドル本体を、障子を開く方向に回動することで、当接部材が受部材に向けて前進する。すると、当接部材は上枠に設けられた受部材に当接することになり、その反動で、第１の障子の移動し始めがスムースになる。つまり、ハンドル本体を握る部分と回動中心との距離を大きくすることにより、いわゆる梃子の原理によって、第１の障子を移動しやすくすることができる。
【００１４】
本発明の建具では、前記開閉ハンドルの長さは前記第１の障子の高さ寸法とほぼ同じであることが好ましい。
【００１５】
このような構成によれば、開閉ハンドルの長さを第１の障子の高さとほぼ同じにしたので、第１の障子のどの高さ位置においても開閉ハンドルを握ることができ、障子の開閉操作を容易に行うことができる。
【００１６】
本発明の建具では、前記第１の障子のスライドを補助するアシスト機構を備え、このアシスト機構は、前記上枠にそれぞれ設けられた第一ラック部および第二ラック部と、前記第一ラック部に噛合する第一歯車部と、この第一歯車部の回転に伴って巻き上げられるばね部と、このばね部のばね力を前記第二ラック部に伝達する第二歯車部とを備えた構成が好ましい。
【００１７】
このような構成によれば、第１の障子を移動させると、アシスト機構が作動して第１の障子のスライドを補助する。つまり、第１の障子を移動し始めた初期の段階では、アシスト機構の第一歯車部が上枠の第一ラック部に回転することで、ばね部にばね力が巻き上げられ、その後、このばね部のばね力により第二歯車部が第二ラック部を回転することにより、第１の障子が移動し続けることになる。
そのため、車いす利用者のように、車いすと開閉ハンドルの位置関係によって手の可動範囲に制限があっても、アシスト機構により、障子を初動時の開放に引き続いて十分に移動させることが容易となり、使い勝手が良いものとなる。
【発明の効果】
【００１８】
本発明では、障子を容易に開閉操作することができる。
【図面の簡単な説明】
【００１９】
【図１】本発明の一実施形態にかかる建具の全体斜視図。
【図２】前記建具の横断面図であり、障子を閉じた状態を示す図。
【図３】前記建具の縦断面図。
【図４】アシスト機構本体の内部構造を示す斜視図。
【図５】施錠機構の側面図。
【図６】施錠機構で施錠される建具枠の縦断面図。
【発明を実施するための形態】
【００２０】
本発明の一実施形態を図面に基づいて説明する。本実施形態に係る建具は、テラスに用いられる引き戸である。
図１は、本発明の一実施形態にかかる建具の全体を示す。図２は、建具の横断面を示す。図３は、建具の縦断面を示す。各図においては、図面を見やすくするために、主要な構成部材については、その断面部分のハッチングを省略することがある。
【００２１】
図１から図３において、建具１は、テラスの出入口開口部に設けられるもので、枠体としての建具枠２と、この建具枠２内にスライド自在に支持された第１の障子１０、第２の障子２０および第３の障子３０とを備えた連動式建具である。
建具枠２は、それぞれアルミ押出形材製の上枠３、戸先側縦枠４Ａ、この戸先側縦枠４Ａに対向される戸尻側縦枠４Ｂ、および下枠５を有し、これらの上枠３、戸先側縦枠４Ａ、戸尻側縦枠４Ｂおよび下枠５から開口部が形成される。
上枠３は、第１の障子１０を案内する上レール３Ａと、第２の障子２０を案内する上レール３Ｂと、第３の障子３０を案内する上レール３Ｃとを備えている。
戸先側縦枠４Ａに近接して内壁Ｗが設けられている。
下枠５は、第１の障子１０を支持する下レール５Ａと、第２の障子２０を支持する下レール５Ｂと、第３の障子３０を支持する下レール５Ｃとを備えている。
【００２２】
第１の障子１０は、室内側に配置される内障子であり、第２の障子２０は、第１の障子１０の室外側に配置される中間障子であり、第３の障子３０は、第２の障子２０の室外側に配置される外障子である。
第１の障子１０は、それぞれアルミ押出形材製の上框１１、下框１２、戸先側縦框１３および召合框１４と、ガラス製や樹脂製の面材１５とを備える。
下框１２には下レール５Ａの上で移動する戸車１８が回動自在に設けられている。召合框１４は、第２の障子２０との召合せ部における縦框である。
【００２３】
第２の障子２０は、上框２１、下框２２、戸先側縦框２３、戸先側縦枠２４、および面材２５を備えて構成されている。
下框２２には下レール５Ｂの上で移動する戸車１８が回動自在に設けられている。
戸先側縦框２３は第１の障子１０との召合せ部の外召合せ框となるものであり、その見込み面部２３０の上部には連動装置４０が取り付けられている。
第３の障子３０は、上框３１、下框３２、戸先側縦框３３、戸先側縦枠３４、および面材３５を備えて構成されている。なお、図３では、第３の障子３０を可動式にするために戸車１８が設けられているが、本実施形態では、第３の障子３０を固定障子としてもよい。
【００２４】
図２において、連動装置４０は、第２の障子２０の戸先側縦框２３の見込み面部２３０に配置されるフレーム４１と、このフレーム４１に回転自在に設けられたローラー４２とを備える。
ローラー４２は、ゴム等の弾性材料から形成された円柱状部材であり、その周面は第１の障子１０の上框２１の側面と上枠３の案内部（図示せず）とに当接される。なお、ローラー４２と当接する上框２１の側面および上枠３の案内部には、ゴムシート等の所定の摩擦係数を有する直線状の被当接部材（図示せず）が設けられるものであってもよい。
【００２５】
図１および図３において、第１の障子１０の戸先側縦框１３の上部と召合框１４の上部とにはそれぞれアシスト機構本体５０Ａが設けられ、これらのアシスト機構本体５０Ａを案内するガイド機構５０Ｂが上枠３に設けられている。これらのアシスト機構本体５０Ａとガイド機構５０Ｂとからアシスト機構５０が構成される。
２つのアシスト機構本体５０Ａのうち第１の障子１０の戸先側縦框１３の上部に設けられたものは、第１の障子１０を開操作する際のスライドの補助を行うものであり、召合框１４の上部に設けられたアシスト機構本体５０Ａは、第１の障子１０を閉操作する際のスライドの補助を行うものである。
いずれのアシスト機構本体５０Ａは、それぞれ、戸先側縦框１３の上部および上框１１に取付部５１０を介して取り付けられたケーシング５１と、このケーシング５１の内部にそれぞれ設けられた第一歯車部５２１および第二歯車部５２２と、ケーシング５１の外部に回動自在に取り付けられた案内ローラー５３とを備えて構成されている。
【００２６】
ガイド機構５０Ｂは、上枠３の上レール３Ａの上方に設けられた取付部材５４と、この取付部材５４において上枠３の長手方向に沿って取り付けられたレール部材５５と、を備えている。
レール部材５５は、取付部材５４に当接される側壁部５５１と、側壁部５５１と対向配置される側壁部５５２と、これらの側壁部５５１，５５２の上端部に設けられる上壁部５５３とを備えた断面コ字状の長尺部材であり、その内部は、アシスト機構本体５０Ａが上枠３の長手方向に沿って移動するための空間とされる。
側壁部５５１の内側部下方には、案内ローラー５３を案内する案内レール部５４１が形成されている。
【００２７】
上壁部５５３の下面には、第一歯車部５２１と噛合する第一ラック部５６１と第二歯車部５２２に噛合する第二ラック部５６２とがそれぞれ設けられている。第一ラック部５６１と第二ラック部５６２とは見込み方向に並べて配置されており、このうち第一ラック部５６１は、レール部材５５の両端部にそれぞれ１本ずつ配置されている（図１参照）。これらの第一ラック部５６１の間には所定寸法の隙間が設けられている。第二ラック部５６２はレール部材５５の中央部分からその両側にかけて配置されており、その両端部はそれぞれレール部材５５の両端部から離れている。
【００２８】
アシスト機構本体５０Ａの内部構造が図４に示されている。
図４において、第一歯車部５２１と第二歯車部５２２とには、ゼンマイばねからなるばね部５６と歯車列５７とが連結されている。
第一歯車部５２１は、巻き取りギヤとして機能するものであり、第二歯車部５２２は走行ギヤとして機能するものである。
【００２９】
歯車列５７は、第１遊動歯車５７１、ゼンマイ歯車５７２、固定歯車５７３および第２遊動歯車５７４を備えて構成されている。第１遊動歯車５７１と第２遊動歯車５７４の歯車軸５７４Ａ（第１遊動歯車５７１の歯車軸は図に現れず）とは図示しない長孔で軸支されており、一定方向のみの回転で他の歯車と噛合し、それと逆方向の回転では、他の歯車との噛合が外れるようにされている。そのため、第１の障子１０が開操作あるいは閉操作されることに伴って第一歯車部５２１が一方向に回転すると、第１遊動歯車５７１およびゼンマイ歯車５７２を介してゼンマイ歯車５７２と同じ軸５７２Ａに連結されたばね部５６が巻き上げられてばね力が蓄勢できるようにされ、さらに、ばね部５６が解放されてゼンマイ歯車５７２が逆方向に回転すると、固定歯車５７３、第２遊動歯車５７４を介して第二歯車部５２２が回転し、第１の障子１０の開操作あるいは閉操作がアシストされる。
【００３０】
図１、図２および図３に戻り、第１の障子１０の召合框１４の室内側見付け位置には開閉ハンドル６０が設けられている。
開閉ハンドル６０は、第１の障子１０の召合框１４の室内側見付け面の上、中、下の３箇所に取り付けられた基部６１と、これらの基部６１に回動自在に設けられたハンドル本体６２と、ハンドル本体６２を所定位置に戻すように付勢する図示しない付勢機構とを備えて構成される。ハンドル本体６２は円柱部材の周面から脚部が設けられた構造である。付勢機構は、ばね等の適宜な手段から構成される。ハンドル本体６２の長さ寸法は第１の障子１０の高さ寸法とほぼ同じである。
【００３１】
これらの基部６１のうち上枠３に近接配置された基部６１には、ハンドル本体６２の回動に連動して戸先側縦框１３に向けて出没自在とされたブロック状の当接部材６４が設けられている(図２の想像線参照)。この当接部材６４とハンドル本体６２とは図示しない連動機構で連動される。つまり、連動機構は、ハンドル本体６２の回動中心に設けられた図示しない回動軸と、この回動軸に形成されたピニオンに噛合し当接部材６４の進退方向に設けられた図示しないラックとを有する構造であり、ハンドル本体６２の先端側が召合框１４の見付け面に近接する方向に回動すると、当接部材６４が戸先側縦框１３に向けて基部６１から突出し、ハンドル本体６２が元の位置に戻ると当接部材６４が基部６１に没入する。
【００３２】
当接部材６４の先端は、上枠３の正面に固定されたＬ字状の受部材３Ｅに当接可能とされる。この受部材３Ｅは、第１の障子１０、第２の障子２０および第３の障子３０で開口部が閉じられた状態において、基部６１に没入した状態の当接部材６４の先端が当接するように上枠３に固定されている。
なお、第１の障子１０の戸先側縦框１３の室外側見付け面には室外側から第１の障子１０を開閉操作するための取手部６５が設けられている。
【００３３】
召合框１４には施錠機構７０が設けられている。施錠機構７０の具体的な構成が図５および図６に示されている。図５は施錠機構７０の側面図、図６は施錠機構７０で施錠される建具枠２の縦断面図である。
図５において、施錠機構７０は、召合框１４の内部に設けられたケース７００と、このケース７００にそれぞれ上下に延びて配置された第一長尺部材７１および第二長尺部材７２を備えている。第一長尺部材７１は、その下端から中央部分にかけて第一ラック７１Ｌが形成され、第二長尺部材７２は、その上端から中央部分にかけて第二ラック７２Ｌが形成されている。
【００３４】
これらの第一ラック７１Ｌと第二ラック７２Ｌとにそれぞれ噛合するピニオン部材７３がケース７００に回動自在に設けられている。第二長尺部材７２には連結部材７４を介して摘み部７５が設けられている。摘み部７５は、その基端側が化粧部材７６の底面部に上下動自在に案内されるとともに、その基端が連結部材７４に嵌合されている。連結部材７４は第二長尺部材７２に対して折り曲げ可能とされている。
化粧部材７６は召合框１４の室内側見付け面部に設けられている。
【００３５】
図６において、第一長尺部材７１の上端部には第一係止片７１Ｔが設けられている。この第一係止片７１Ｔは、上枠３の上部に設けられた第一係合部３Ｆに係合可能とされている。第一係合部３Ｆは、レール部材５５に形成された係合孔である。なお、第一係合部３Ｆを上枠３に形成された係合孔としてもよい。
第二長尺部材７２の下端部には第二係止片７２Ｔが設けられている。この第二係止片７２Ｔは、下枠５に形成された第二係合部５Ｆに係合可能とされている。第二係合部５Ｆは下枠５に設けられた金具５Ｇの係合孔から構成されている。
なお、図５に示される通り、施錠機構７０には鎌錠７７が連結されている。この鎌錠７７は、摘み部７５で施錠操作することにより、第１の障子１０の召合框１４の見付け面から突出して第２の障子２０の戸先側縦框２３に係止される。
【００３６】
この構成の建具１では、閉じられた第１の障子１０を開操作するため、まず、施錠機構７０を操作して解錠する。そして、開閉ハンドル６０のハンドル本体６２を戸尻側縦枠４Ｂに向けて押すと、ハンドル本体６２が召合框１４の見付け面に近接するように回動する。ハンドル本体６２が回動すると、上枠３に近接する基部６１から当接部材６４が戸先側縦框１３に向けて突出し、上枠３に固定された受部材３Ｅを蹴り出すことになる(図２の想像線参照)。当接部材６４が受部材３Ｅを蹴り出すことで第１の障子１０が容易にスライドし始める。
【００３７】
第１の障子１０がスライドし始めると、戸先側に配置されたアシスト機構本体５０Ａが作動し始める。つまり、当接部材６４が蹴り出されることにより、第１の障子１０がスライドし続け、アシスト機構本体５０Ａの第一歯車部５２１が第一ラック部５６１を転動することになり、ばね部５６が巻き上げられてばね力が蓄勢される。引き続き、第１の障子１０はスライドし続け、第一ラック部５６１が第一歯車部５２１から外れると、ばね部５６が解放されて第二歯車部５２２を回転させる。すると、この第二歯車部５２２が第二ラック部５６２の上を転動し、第１の障子１０がスライドし続けることになる。
第１の障子１０がスライドすると、連動装置４０が作動して第２の障子２０が第１の障子１０に連動し、建具の開口部が開放される。
第１の障子１０が戸尻側縦枠４Ｂに近接すると、戸尻側に配置されたアシスト機構５０の第一歯車部５２１が第一ラック部５６１の上を転動するが、第一歯車部５２１は逆方向に空転することになり、第１の障子１０のスライドに負荷をかけることがない。
【００３８】
これに対して、建具１の開口部を閉じるため、ハンドル本体６２を戸先側に向かって押し出す。すると、第１の障子１０が逆方向にスライドすることで、戸尻側に配置されたアシスト機構本体５０Ａが作動し、第１の障子１０のスライドを補助し、さらに、連動装置４０が作動して第２の障子２０が第１の障子１０に連動する。
建具１の開口部が閉じられたら、第１の障子１０の施錠機構７０を操作して解錠する。そのため、摘み部７５を押し下げ、第二長尺部材７２を下方に向けて移動させ、第一長尺部材７１を、ピニオン部材７３を介して上方に向けて移動させる。これにより、第一長尺部材７１の先端部に設けられた第一係止片７１Ｔが上枠３の第一係合部３Ｆに係合され、第二長尺部材７２の先端部に設けられた第二係止片７２Ｔが下枠５の第二係合部５Ｆに係合されて第１の障子１０のスライドが規制される。
【００３９】
従って、本実施形態では、次の作用効果を奏することができる。
（１）建具枠２にそれぞれスライド開閉自在に支持された第１の障子１０、第２の障子２０および第３の障子３０と、第１の障子１０の開閉に伴って第２の障子２０を連動させる連動装置４０と、第１の障子１０を開閉する開閉ハンドル６０とを備えた建具１において、開閉ハンドル６０を、第１の障子１０の召合框１４の室内側見付け位置に設けたから、建具枠２の戸先側縦枠４Ａから離れた位置にいる者、例えば、内壁Ｗがあることで、戸先側縦枠４Ａに近づけない車いす利用者が開閉ハンドル６０を握りやすくなり、障子の開閉操作を容易に行うことができる。しかも、開閉ハンドル６０を取り付ける位置を召合框１４の複数位置に設定することができるので、開閉ハンドル６０の取付構造を強固なものにできる。
【００４０】
（２）第１の障子１０の施錠や解錠を行う施錠機構７０を第１の障子１０の召合框１４に取り付けたから、施錠機構７０の摘み部７５の設置位置と開閉ハンドル６０の設置位置とが近接することになり、施錠あるいは解錠と第１の障子１０の開閉操作との一連の作業を容易に行うことができる。特に、施錠機構７０を召合框１４の中央部分に設けることで、車いすを利用する者が容易に施錠操作をすることができる。
【００４１】
（３）施錠機構７０を、上端部が上枠３の第一係合部３Ｆに係合可能とされ第一ラック７１Ｌが形成された第一長尺部材７１と、下端部が下枠５の第二係合部５Ｆに係合可能とされ第二ラック７２Ｌが形成された第二長尺部材７２と、第二長尺部材７２に設けられ上下動自在とされた摘み部７５と、第一長尺部材７１の第一ラック７１Ｌと第二長尺部材７２の第二ラック７２Ｌとにそれぞれ噛合されるピニオン部材７３と、を備えて構成したから、摘み部７５を上下操作することにより、第一長尺部材７１と第二長尺部材７２とが同期して互いに反対方向に移動するので、上下位置での施錠あるいは解錠を効率的に行うことができる。
【００４２】
（４）開閉ハンドル６０を、第１の障子１０の召合框１４に取り付けられた基部６１と、基部６１に回動自在に設けられたハンドル本体６２と、ハンドル本体６２の回動に伴って基部６１から戸先側縦框１３に対して出没しかつ突出時に上枠３に設けられた受部材３Ｅに当たる当接部材６４とを備える構成とした。そのため、ハンドル本体６２を回動させて当接部材６４を受部材３Ｅに押し当てることによって第１の障子１０に反動が生じるため、第１の障子１０のスライドの開始が円滑に行われることになる。
【００４３】
（５）基部６１を上中下の３箇所に配置し、そのうち上枠３に近接配置された基部６１に対して当接部材６４を出没自在の構成とした。そのため、当接部材６４と当接する受部材３Ｅを上枠３に設ければよいので、開口部を通る際に受部材３Ｅが邪魔になることがない。
【００４４】
（６）開閉ハンドル６０のハンドル本体６２の長さを第１の障子１０の高さ寸法とほぼ同じにしたので、第１の障子１０の高さ方向に渡って開閉ハンドル６０を操作することができるから、障子の開閉操作を容易に行うことができる。
【００４５】
（７）第１の障子１０のスライドを補助するアシスト機構５０を、召合框１４の上部に設けられたアシスト機構本体５０Ａと、アシスト機構本体５０Ａを案内し上枠３に設けられたガイド機構５０Ｂとを備えて構成し、ガイド機構５０Ｂを、上枠３にそれぞれ設けられた第一ラック部５６１および第二ラック部５６２を備え、アシスト機構本体５０Ａを第一ラック部５６１に噛合する第一歯車部５２１と、第一歯車部５２１の回転に伴って巻き上げられるばね部５６と、このばね部５６のばね力を第二ラック部５６２に伝達する第二歯車部５２２と、を備えた構成としたので、車いすと開閉ハンドルの位置関係によって手の可動範囲に制限があっても、障子を初動時の開放に引き続いて十分に移動させることが容易となり、使い勝手が良いものとなる。
特に、本実施形態では、ハンドル本体６２の回動に伴って基部６１から当接部材６４が出没する開閉ハンドル６０と、アシスト機構５０とを組み合わせる構成であるため、ハンドル本体６２を戸尻側縦枠４Ｂに向けて押すだけで、大きな力をかけることなく、第１の障子１０が円滑にスライドして開口部が開放されることになる。
【００４６】
（８）アシスト機構本体５０Ａとして、第１の障子１０の開操作をアシストするためのアシスト機構本体５０Ａと、閉操作をアシストするためのアシスト機構本体５０Ａとの２種類を用意したので、第１の障子１０の開閉操作を容易に行うことができる。
【００４７】
なお、本発明は、前記実施形態に限定されるものではなく、本発明の目的を達成できる他の構成等を含み、以下に示すような変形等も本発明に含まれる。
例えば、前記実施形態では、開閉ハンドル６０を第１の障子１０の召合框１４の見付け面に設けたが、本発明の開閉ハンドル６０の取付位置はこれに限定されるものではなく、第１の障子１０の戸先側縦框１３より召合框側であるのであれば具体的な位置は限定されるものではなく、例えば、第１の障子１０の見付け面方向の中央部分において上框１１および下框１２を架け渡す位置に設けるものであってもよい。さらに、開閉ハンドル６０の長さは第１の障子１０の高さ寸法より小さいもの、例えば、半分であってもよく、この場合、開閉ハンドル６０を召合框１４の高さ方向の中心部分に設置するものでもよい。
【００４８】
本発明では、アシスト機構５０を必ずしも設けることを要せず、設ける場合であっても１つのアシスト機構本体５０Ａを設けるものであってもよい。アシスト機構本体５０Ａを１つ設ける場合にあっては、第１の障子１０の開操作をアシストするために用いるものが好ましい。
【００４９】
さらに、本発明では、第１の障子１０、第２の障子２０および第３の障子３０の３枚から障子が構成されるものに限らず、４枚以上であってもよい。
また、本発明では、施錠装置を召合框１４の上下にそれぞれ設けるものであってもよく、さらには、召合框１４ではなく戸先側縦框１３に設けるものでもよい。
また、当接部材６４はブロック状のものに限定されるものではなく、先端にローラを設けた構造でもよい。当接部材６４が受部材３Ｅに当接する場所は先端に限定されるものではない。さらに、当接部材６４は、基部６１に出没自在に設けられた構造に限定されるものではなく、他の構造、例えば、ハンドル本体６２の回動により基端が回動するアーム部材を備え、ハンドル本体６２の回動に伴ってアーム部材が回動し、アーム部材の先端部で受部材３Ｅを蹴り出す構成としてもよい。
【符号の説明】
【００５０】
１…建具、２…建具枠（縦枠）、３…上枠、３Ｅ…受部材、３Ｆ…第一係合部、４Ａ…戸先側縦枠、４Ｂ…戸尻側縦枠、５…下枠、５Ｆ…第二係合部、１０…第１の障子、１３…戸先側縦框、１４…召合框、２０…第２の障子、３０…第３の障子、４０…連動装置、５０…アシスト機構、５２１…第一歯車部、５２２…第二歯車部、５６…ばね部、５６１…第一ラック部、５６２…第二ラック部、６０…開閉ハンドル、６１…基部、６２…ハンドル本体、６４…当接部材、７０…施錠機構、７１…第一長尺部材、７１Ｌ…第一ラック、７２…第二長尺部材、７２Ｌ…第二ラック、７５…摘み部
【図１】
2014105481.tif 000003
【図２】
2014105481.tif 000004
【図３】
2014105481.tif 000005
【図４】
2014105481.tif 000006
【図５】
2014105481.tif 000007
【図６】
2014105481.tif 000008